(57)【要約】【課題】デジタルカメラが撮影時に記録した各種情報に基づいて画像を見やすいように表示画面に配置できる電子フォトアルバムを提供する。【解決手段】Ｓ２では、ＲＡＭ８に記憶されたＥｘｉｆファイルの所定のタグに記録されている角度情報θを読み取る。Ｓ７では、画像の傾きを補正する角度θ’を設定する。補正角度θ’は撮影時のデジタルカメラ２００の傾斜を略補正するような値である。表示コントローラ３２は、Ｅｘｉｆファイルのデータ部分に記録されている画像を補正角度θ’だけ傾斜させて表示装置Ｄに表示する。【選択図】  図８
2006020065.tif 000002
【特許請求の範囲】
【請求項１】
画像を表示する電子フォトアルバムであって、
画像を表示する表示装置を配置した略板状のアルバム部と、
画像と前記画像の撮影時におけるカメラの傾きを示す角度情報とが対応づけられた画像ファイルを記憶する記憶部と、
前記画像ファイルに記憶された角度情報に応じて前記画像ファイルに記憶された画像の傾きを補正して前記表示装置に表示する表示制御部と、
を備える電子フォトアルバム。
【請求項２】
前記表示装置のアスペクト比と前記画像のアスペクト比とが略一致するように前記画像の上下又は左右部分をトリミングする画像加工部をさらに備える請求項１に記載の電子フォトアルバム。
【請求項３】
前記表示装置のアスペクト比は略１：１であり、
前記角度情報に応じて前記画像が縦撮り又は横撮りであるかを判断する縦撮り／横撮り判断部をさらに備え、
前記画像加工部は、前記画像が縦撮りと判断された場合に前記画像の上下部分をトリミングし、前記画像が横撮りと判断された場合に前記画像の左右部分をトリミングする請求項２に記載の電子フォトアルバム。
【請求項４】
画像を表示する電子フォトアルバムであって、
画像を表示する第１表示装置を配置した略板状の第１アルバム部と、
画像を表示する第２表示装置を配置した略板状の第２アルバム部と、
前記第１アルバム部の一端と前記第２アルバム部の一端とを回動自在に連結し見開き型に配列させる連結部と、
画像と前記画像の撮影時の状況を示す撮影時情報とが対応づけられた画像ファイルを記憶する記憶部と、
前記撮影時情報の一部又は全部が共通する画像同士を前記第１表示装置及び前記第２表示装置にそれぞれ表示させる表示制御部と、
を備える電子フォトアルバム。
【請求項５】
前記撮影時情報は撮影時の現在位置情報を含み、
前記表示制御部は前記現在位置情報が略一致する画像同士を前記第１表示装置及び前記第２表示装置にそれぞれ表示させる請求項４に記載の電子フォトアルバム。
【請求項６】
前記撮影時情報は撮影日時情報を含み、
前記表示制御部は前記撮影日時情報の一部が共通する画像同士を前記第１表示装置及び前記第２表示装置にそれぞれ表示させる請求項４又は５に記載の電子フォトアルバム。
【請求項７】
請求項１〜３のいずれかに記載の角度情報を撮像指示に応じて検出する角度情報検出部と、
前記撮像指示に応じて画像を撮像する撮像部と、
前記角度情報を前記画像ファイルのヘッダ部分に記憶するとともに前記画像を前記画像ファイルのデータ部分に記憶する記憶制御部と、
を備えるデジタルカメラ。
【請求項８】
請求項４〜６のいずれかに記載の撮影時情報を撮像指示に応じて取得する撮影時情報取得部と、
前記撮像指示に応じて画像を撮像する撮像部と、
前記撮影時情報を前記画像ファイルのヘッダ部分に記憶するとともに前記画像を前記画像ファイルのデータ部分に記憶する記憶制御部と、
を備えるデジタルカメラ。
【請求項９】
前記画像ファイルはＥｘｉｆ（Exchangeable Image File Format）ファイルである請求項７又は８に記載のデジタルカメラ。
【発明の詳細な説明】
【技術分野】
【０００１】
本発明は、携帯型の電子フォトアルバムに関する。
【背景技術】
【０００２】
従来、様々な携帯型の電子フォトアルバムが考案されている。例えば特許文献１の電子アルバムは、画像を表示させる第１表示部を有する表紙部と、画像を表示させる第２表示部を有する裏表紙部と、第１表示部と第２表示部を見開き状態にして表紙部と裏表紙部を回動自在に連結する連結部を備えている。このため、画像データに基づいて表示される画像を第一表示部及び第二表示部を通じて見開き状態で見ることができ、一度に多くの画像を同時に見ることができる。
【特許文献１】特開２００１−１００８６４号公報
【発明の開示】
【発明が解決しようとする課題】
【０００３】
ところで、画像の撮影日時や場所など、カメラが画像の撮影時に画像とともに記録できる各種の情報があるが、特許文献１の技術では、このような情報を有効に利用しないまま表示部に複数の画像を配列表示させているだけである。本発明はこのような問題点に鑑みてなされたもので、デジタルカメラが撮影時に記録した各種情報に基づいて画像を見やすいように表示画面に配置できる電子フォトアルバムを提供することを目的とする。
【課題を解決するための手段】
【０００４】
請求項１に係る発明は、画像を表示する電子フォトアルバムであって、画像を表示する表示装置を配置した略板状のアルバム部と、画像と前記画像の撮影時におけるカメラの傾きを示す角度情報とが対応づけられた画像ファイルを記憶する記憶部と、前記画像ファイルに記憶された角度情報に応じて前記画像ファイルに記憶された画像の傾きを補正して前記表示装置に表示する表示制御部と、を備える電子フォトアルバムを提供する。
【０００５】
この発明によると、撮影時のカメラの傾きに応じて画像の傾きを補正して表示するため、画像が見やすくなる。
【０００６】
請求項２に係る発明は、前記表示装置のアスペクト比と前記画像のアスペクト比とが略一致するように前記画像の上下又は左右部分をトリミングする画像加工部をさらに備える請求項１に記載の電子フォトアルバムを提供する。
【０００７】
この発明によると、表示装置のアスペクト比と前記画像のアスペクト比とが略一致するように画像の上下又は左右部分をトリミングするため、表示装置で画像の表示されない無駄なブランクが生じることを防ぐことができる。
【０００８】
請求項３に係る発明は、前記表示装置のアスペクト比は略１：１であり、前記角度情報に応じて前記画像が縦撮り又は横撮りであるかを判断する縦撮り／横撮り判断部をさらに備え、前記画像加工部は、前記画像が縦撮りと判断された場合に前記画像の上下部分をトリミングし、前記画像が横撮りと判断された場合に前記画像の左右部分をトリミングする請求項２に記載の電子フォトアルバムを提供する。
【０００９】
この発明によると、縦撮り画像の上下又は横撮り画像の左右部分をトリミングしてアスペクト比が略１：１即ち略正方形の表示装置に表示するため、表示装置で画像の表示されない無駄なブランクが生じ、縦撮り／横撮り画像自体も小さくなってしまうことを防ぐことができる。
【００１０】
請求項４に係る発明は、画像を表示する電子フォトアルバムであって、画像を表示する第１表示装置を配置した略板状の第１アルバム部と、画像を表示する第２表示装置を配置した略板状の第２アルバム部と、前記第１アルバム部の一端と前記第２アルバム部の一端とを回動自在に連結し見開き型に配列させる連結部と、画像と前記画像の撮影時の状況を示す撮影時情報とが対応づけられた画像ファイルを記憶する記憶部と、前記撮影時情報の一部又は全部が共通する画像同士を前記第１表示装置及び前記第２表示装置にそれぞれ表示させる表示制御部と、を備える電子フォトアルバムを提供する。
【００１１】
この発明によると、撮影時情報の一部又は全部が共通する画像同士を第１表示装置及び第２表示装置にそれぞれ表示させるため、撮影時情報の一部又は全部が共通する画像同士を並列した状態で対比して見ることができる。
【００１２】
請求項５に係る発明は、前記撮影時情報は撮影時の現在位置情報を含み、前記表示制御部は前記現在位置情報が略一致する画像同士を前記第１表示装置及び前記第２表示装置にそれぞれ表示させる請求項４に記載の電子フォトアルバムを提供する。
【００１３】
この発明によると、撮影時の現在位置情報が略一致する画像同士を第１表示装置及び第２表示装置にそれぞれ表示させるため、同じ場所で撮影した画像同士を並列した状態で対比して見ることができ、定点観測などに有用である。
【００１４】
請求項６に係る発明は、前記撮影時情報は撮影日時情報を含み、前記表示制御部は前記撮影日時情報の一部が共通する画像同士を前記第１表示装置及び前記第２表示装置にそれぞれ表示させる請求項４又は５に記載の電子フォトアルバムを提供する。
【００１５】
この発明によると、撮影日時の一部が共通（例えば月日が同じで年が異なる、あるいは毎月月始など日が同じで年月が異なる画像）する画像同士を第１表示装置及び第２表示装置にそれぞれ表示させるため、一定間隔ごとに撮影された画像を並列した状態で対比することができ、子供の成長過程を観察したりするのに有用である。
【００１６】
請求項７に係る発明は、請求項１〜３のいずれかに記載の角度情報を撮像指示に応じて検出する角度情報検出部と、前記撮像指示に応じて画像を撮像する撮像部と、前記角度情報を前記画像ファイルのヘッダ部分に記憶するとともに前記画像を前記画像ファイルのデータ部分に記憶する記憶制御部と、を備えるデジタルカメラを提供する。
【００１７】
角度情報検出部は、角度、角速度あるいは角加速度等の角度情報を検出できるセンサであり、例えば角速度センサを正三角柱振動子と圧電セラミックを用いた圧電振動ジャイロセンサにより構成することが可能である。
【００１８】
請求項８に係る発明は、請求項４〜６のいずれかに記載の撮影時情報を撮像指示に応じて取得する撮影時情報取得部と、前記撮像指示に応じて画像を撮像する撮像部と、前記撮影時情報を前記画像ファイルのヘッダ部分に記憶するとともに前記画像を前記画像ファイルのデータ部分に記憶する記憶制御部と、を備えるデジタルカメラを提供する。
【００１９】
撮影時情報とは上述のように撮影日時情報や撮影時の現在位置情報を含む。
【００２０】
請求項９に係る発明は、前記画像ファイルはＥｘｉｆ（Exchangeable Image File Format）ファイルである請求項７又は８に記載のデジタルカメラを提供する。
【００２１】
撮影時情報をＥｘｉｆファイルの所定のタグに記憶させることで、画像と角度情報あるいは画像と撮影時情報を対応させることができる。
【発明の効果】
【００２２】
この発明によると、撮影時のカメラの傾きに応じて画像の傾きを補正して表示するため、画像が見やすくなる。また、この発明によると、撮影時情報の一部又は全部が共通する画像同士を第１表示装置及び第２表示装置にそれぞれ表示させるため、撮影時情報の一部又は全部が共通する画像同士を並列した状態で対比して見ることができる。
【発明を実施するための最良の形態】
【００２３】
以下、添付した図面を参照し本発明の好ましい実施の形態を説明する。
【００２４】
＜第１実施形態＞
［概略構成］
図１は本発明の好ましい実施形態に係る見開き型の電子フォトアルバム１００を正面から見た状態を示す。この図に示すように、電子フォトアルバム１００（以下単にアルバム１００と称する）は、それぞれ外枠がプラスチック製の部材などで構成された略板状の第１アルバム部１及び第２アルバム部２で構成され、第１アルバム部１の一端１ａと第２アルバム部２の一端２ａとが蝶番機構３で回動自在に連結されている。第１アルバム部１、第２アルバム部２の一面にはそれぞれ第１表示装置１１・第２表示装置１２が配置されており、蝶番機構３を回動させることで第１表示装置１１と第２表示装置１２を見開き型に配列させる（以下この動作を単に「アルバム１００を開く」と表現する）ことができる。あるいは、蝶番機構３を回動させることで第１表示装置１１と第２表示装置１２の表示面同士が対向するように第１アルバム部１と第２アルバム部２を閉じる（以下この動作を単に「アルバム１００を閉じる」と表現する）こともできる。第１表示装置１１及び第２表示装置１２は記憶型液晶（コレステリック液晶）で構成されることが好ましい。下記の説明において第１表示装置１１と第２表示装置１２を区別する必要がない場合、両者をまとめて表示装置Ｄと表す。
【００２５】
第１アルバム部１の一端１ａ側には、アルバム１００が閉じたこと又は開いたことを、第２アルバム部２の一端２ａ側による押しボタン２５ａの押下又は押下の解除で検出する開閉検出スイッチ２５が設けられている。第２表示装置１２には透明なタッチパネル２１が積層されている。第１アルバム部１の他端１ｂには逆送りタッチセンサ１３が設けられ、第２アルバム部２の他端２ｂには順送りタッチセンサ１４が設けられている。第１アルバム部１には、第１表示装置１１の表示面と同一面で他端１ｂ寄りの側面１ｃに配置された２チャンネルステレオ左側音声再生用のＬｃｈスピーカ１５Ｌが設けられている。第２アルバム部２には、第２表示装置２２の表示面と同一面で他端２ｂ寄りの側面２ｃに配置された２チャンネルステレオ右側音声再生用のＲｃｈスピーカ１５Ｒが設けられている。このため、アルバム１００を開くと、Ｒｃｈスピーカ１５Ｒ及びＬｃｈスピーカ１５Ｌは、音声がユーザの左右の耳に良好に到達するような位置となる。さらに側面２ｃにはマイク２７と操作ボタン部１６が設けられている。操作ボタン部１６は、選択ボタン１７と、ページ送りボタン１８と、電源ボタン１９と、音量ボタン２０とを含んでいる。マイク２７や操作ボタン部１６は側面１ｃに設けてもよい。
【００２６】
第２アルバム部２の他端２ｂには、メモリカードなどの外部記憶媒体４０を挿入するためのメディアスロット２２とＵＳＢコネクタやＬＡＮカードなどで構成された通信インターフェース２３が設けられている。メディアスロット２２の内部には記憶媒体４０の挿入又は抜き取りを検出する挿抜検出部２４が設けられている。
【００２７】
［機能構成］
（電子フォトアルバム）
図２はアルバム１００の機能ブロック図である。アルバム１００は、ＭＣＵ（Microcontroller Unit、所謂ワンチップマイコン）などで構成され各種演算及び演算に必要なデータの一時記憶を行なう制御部７と、表示コントローラ３２と、Ｒ／Ｗ制御部３３と、通信インターフェース２３を介して通信を行う通信部３５と、内蔵バッテリーや家庭用電源などによりアルバム１００の各所に電力を供給する電力供給部２６と、半導体記憶装置やハードディスクユニットなどで構成された大容量の記憶装置３６と、ＲＡＭ８に記憶された画像に所定の画像加工処理を実行する画像処理部３７とを備える。制御部７、通信部３５、記憶装置３６、Ｒ／Ｗ制御部３３、表示コントローラ３２、電力供給部２６及び画像処理部３７はバス３４で接続されている。電力供給部２６は待機状態即ちアルバム１００が使用されていない場合でも制御部７及び開閉検出スイッチ２５に電力を供給することができる。その他の各所への電力供給は制御部７の指示に応じて開始・終了する。各所への電力供給が行われている状態即ちアルバム１００が使用されている状態を動作状態という。
【００２８】
制御部７は、逆送りタッチセンサ１３、順送りタッチセンサ１４、選択ボタン１７、ページ送りボタン１８、電源ボタン１９、音量ボタン２０、タッチパネル２１、挿抜検出部２４、開閉検出スイッチ２５と接続されており、各部からの信号を入力する。開閉検出スイッチ２５の押しボタン２５ａは、アルバム１００を閉じたときに押下されるように配置されている。そして、押しボタン２５ａが押下された場合はアルバム１００が閉じられたことを示す信号を、押下が解除された場合はアルバム１００が開かれたことを示す信号をそれぞれ制御部７に出力する。
【００２９】
逆送りタッチセンサ１３及び順送りタッチセンサ１４は、それぞれユーザの指などの物体の接触があったことを検出して検出信号を制御部７に出力する。電源ボタン１９は、電力供給部２６に電力供給のオン・オフを指示するスイッチであり、電源オン・オフを示す信号を制御部７に入力する。選択ボタン１７は、記憶媒体４０から読み込んだ画像の選択など各種の選択を行うスイッチであり、特に用途は限定されない。ページ送りボタン１８は順送りスイッチ１８ａと逆送りスイッチ１８ｂとを有している。挿抜検出部２４は記憶媒体４０が挿入口１０に挿入されたことまたは挿入口１０から取り出されたことを検出する。挿抜検出部２４はＲ／Ｗ制御部３３に設けてもよい。
【００３０】
タッチパネル２１はそれぞれ縦横方向の各々に沿ってマトリクス状に所定の抵抗値を有しており、ユーザの指などの物体が接触すると上記の抵抗値が変化し、このときの電流値の変化を検出することで物体の接触位置を検出することができ、特に第２表示装置１２に表示された画像の表示位置に物体を接触させることでその画像を選択することができる。選択ボタン１７などで第２表示装置１２の表示画像を選択させる態様も可能である。
【００３１】
制御部７はタッチパネル２１の検出した接触位置に応じて各種処理を開始させることができる。操作ボタン部１６に含まれる各ボタンに相当するボタンを第２表示部１２に表示し、それらのボタンの押下をタッチパネル２１で検出し、検出結果に応じて操作ボタン部１６の押下に相当する処理を行ってもよい。
【００３２】
Ｒ／Ｗ制御部３３は、メディアスロット２２に挿入された記憶媒体４０に記憶される画像を読み出し、また画像を記憶媒体に書き込む。画像は通信部３５から受信してもよく、以下の記述において記憶媒体４０に記憶される画像を通信部３５が受信した画像と置き換えてもアルバム１００の動作内容は同様である。
【００３３】
表示コントローラ３２は、記憶媒体４０から読み込んだ画像を表示装置Ｄに表示させる。アルバム１００を開いた状態で順送りタッチセンサ１４への接触操作を行うと、現在表示されている画像よりも後の表示順序が付与された画像を表示装置Ｄに表示する（順送り）。一方、アルバム１００を開いた状態でタッチセンサ１３への接触操作を行うと、現在表示されている画像よりも前の表示順序が付与された画像を表示装置Ｄに表示する（逆送り）。このように、逆送りタッチセンサ１３又は順送りタッチセンサ１４への接触操作とアルバム１００の開閉で、表示装置Ｄに表示される画像を通常の写真アルバムと同様に進めたり戻したりできる。表示順序は後述の撮影日時情報に従って定まり、撮影日時の古いものから新しいものへ画像をソートする順序が表示順序に相当する。
【００３４】
音声コントローラ３１は、音声データを左右のアナログオーディオ信号（２チャンネルステレオ信号）へ変換し、左右の信号をそれぞれＬｃｈスピーカ１５Ｌ、Ｒｃｈスピーカ１５Ｒに出力し、Ｌｃｈスピーカ１５Ｌ、Ｒｃｈスピーカ１５Ｒはこの信号に従って音声を出力する。Ｌｃｈスピーカ１５ＬとＲｃｈスピーカ１５Ｒをまとめてスピーカ１５で表す。音声コントローラ３１はノイズとなる高い周波数成分をアナログオーディオ信号から除去する処理やアナログオーディオ信号を増幅する処理を行なってもよい。無論、音声コントローラ３１は、２チャンネルステレオ以外の形態（ドルビーデジタル5.1チャンネルなど）に対応させてもよい。
【００３５】
マイク２７からは、記憶媒体４０から読み込んだ画像に対応づけるタイトルやナレーションなどを音声入力できる。音声コントローラ３１は、マイク２７から入力されたアナログ音声信号をデジタル音声データに変換してＲＡＭ８に出力する。記憶装置３６は大容量のハードディスクユニットなどで構成され、記憶媒体４０から読み込まれた画像・音声データや通信部３５の受信した画像・音声データを記憶する。
【００３６】
（デジタルカメラ）
図３は本発明に係るデジタルカメラ２００の機能ブロック図である。同図において、中央処理装置（ＣＰＵ）１１２は、シャッタボタン１０２、モード切替えレバー１０６等の各種のボタンやキーからの入力に基づいてデジタルカメラ２００内の各回路を統括制御する。角度情報検出部１５２は、角度、角速度あるいは角加速度等の角度情報を検出できるセンサであり、例えば角速度センサを正三角柱振動子と圧電セラミックを用いた圧電振動ジャイロセンサにより構成することが可能である。ＧＰＳ（Global Positioning System）装置１５１は、地球の上空を周回している複数のＧＰＳ衛星から同時に発信される電波を、内蔵されたアンテナにより受信する。そして、それぞれの衛星から発信された電波がＧＰＳ装置１５１に到達するまでの時間差を求めることによって、現在位置情報を求める。タイマ１５３は現在日時を出力する装置である。
【００３７】
いま、モード切替えレバー１０６によって撮影モードが設定されると、ＣＰＵ１１２は、動画（スルー画）を画像表示装置１１０に表示させ、撮影画角を確認可能にする。即ち、絞り１１６及び撮影レンズ１１８を通過した被写体光は、撮像素子（ＣＣＤ）１２０の受光面上に結像する。ＣＣＤ１２０は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００３８】
ＣＣＤ１２０から出力された信号はアナログ処理部（ＣＤＳ／ＡＭＰ）１２２に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００３９】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００４０】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００４１】
撮影画像を画像表示装置１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して画像表示装置１１０に出力する。
【００４２】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が画像表示装置１１０に供給されることにより、撮像中の映像がリアルタイムに画像表示装置１１０に表示される。ユーザは、画像表示装置１１０に表示される映像（スルー）によって撮影画角を確認できる。
【００４３】
ここで、シャッタボタン１０２が半押しされると、ＡＥ及びＡＦ処理が開始される。即ち、ＣＣＤ１２０から出力された画像信号はＡ／Ｄ変換後に画像入力コントローラ１２６を介してＡＦ検出回路１３６並びにＡＥ／ＡＷＢ検出回路１３８に入力される。
【００４４】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２０の電子シャッタを制御するとともに、モータドライバ１４０を介して絞り１１６を制御して適正な露光量を得る。
【００４５】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００４６】
また、ＡＦ制御は、例えば画像信号のＧ信号の高周波成分が極大になるように撮影レンズ１１８を移動させるコントラストＡＦが適用される。即ち、ＡＦ検出回路１３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４７】
ＡＦ検出回路１３６で求めた積算値のデータはＣＰＵ１１２に通知される。ＣＰＵ１１２は、モータドライバ１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１１８を移動させるようにモータドライバ１４２を制御する。尚、ＡＦ評価値の演算はＧ信号を利用する態様に限らず、輝度信号（Ｙ信号）を利用してもよい。
【００４８】
上記ＡＥ／ＡＦ処理が行われ、シャッタボタン１０２が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００４９】
メモリ１２８に格納されたＹ／Ｃ信号は、圧縮伸長処理回路１４４によって所定のフォーマットに従って圧縮された後、メディアコントローラ１４６を介して記憶媒体４０にExif（Exchangeable Image File Format）ファイルとして記録される。画像はExifファイルのデータ部分に記録される。カメラ２００にはパノラマスイッチ１０３が設けられており、シャッタボタン１０２の全押し待機中に通常撮影モードとパノラマ撮影モードとを切り替えて撮影を行なうことができる。パノラマ撮影モードがオンのときにシャッタボタン１０２が全押しされると、フルサイズの撮影画面の上下の所定部分を遮光してパノラマサイズにして画像を記録する。
【００５０】
一方、角度情報検出部１５２は、シャッタボタン１０２の全押し操作に連動して角度情報をＣＰＵ１１２に出力する。ＧＰＳ装置１５１は、シャッタボタン１０２の全押し操作に連動して現在位置情報を撮影位置情報としてＣＰＵ１１２に出力する。タイマ１５３は、シャッタボタン１０２の全押し操作に連動して現在日時を撮影日時情報としてＣＰＵ１１２に出力する。
【００５１】
ＣＰＵ１１２は上記Exifファイルのヘッダ部分の所定のタグ（Imagedescriptionタグなど）に角度情報、撮影位置情報、撮影日時情報を記録する。図４はExifファイルに記録された内容を概念的に示している。Exifファイルのヘッダ部分には画像を所定の縮小率で縮小したサムネイル画像も記録される。
【００５２】
モード切替えレバー１０６により再生モードが選択されると、記憶媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これを画像表示装置１１０に出力する。これにより、画像表示装置１１０には記憶媒体４０に記録されている最終コマのコマ画像が表示される。
【００５３】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記憶媒体４０から読み出され、上記と同様にしてコマ画像が画像表示装置１１０に再生される。尚、最終コマのコマ画像が表示されている状態で順方向にコマ送りされると、記憶媒体４０に記録されている１コマ目の画像ファイルが読み出され、１コマ目のコマ画像が画像表示装置１１０に再生される。
【００５４】
［処理の流れ］
以下、図５のフローチャートに従い、アルバム１００の実行する画像表示処理の流れを説明する。
【００５５】
Ｓ１では、記憶媒体４０から読み取ったＥｘｉｆファイルをＲＡＭ８に記憶する。ＲＡＭ８に記憶する画像は通信部３５を介して受信したＥｘｉｆファイルであってもよい。
【００５６】
Ｓ２では、ＲＡＭ８に記憶されたＥｘｉｆファイルの所定のタグに記録されている角度情報θを読み取る。Ｓ３では、角度情報θ＝０°即ち横撮りであるか否かを判断する。横撮りである場合はＳ５に移行し、横撮りでない場合はＳ４に移行する。
【００５７】
Ｓ４では、θ＝９０°又は−９０°即ち縦撮りであるか否かを判断する。縦撮りである場合はＳ６に移行し、縦撮りでない場合はＳ７に移行する。Ｓ５では、画像処理部３７は表示装置Ｄのアスペクト比Ｌ１：Ｌ２と横撮り画像のアスペクト比とが略一致するように画像の左右部分をトリミングする。例えば、図６に示すように、表示装置Ｄのアスペクト比が略Ｌ１：Ｌ２＝１：１即ち略正方形である場合、これに合わせて横撮り画像のアスペクトＮ１：Ｎ２をＮ１：Ｎ２’＝Ｌ１：Ｌ２となるように画像の左右部分をトリミングする。トリミングで取り除く部分は被写体を含まないことが好ましい。このようにすれば、画像のアスペクト比を表示装置Ｄのアスペクト比（従来は６：４）に合わせて変更することで画像が小さくなることがなく、画面一杯に画像を表示することができ、画面の両側部分に余白が生じるという無駄もなくなる。
【００５８】
Ｓ６では、画像処理部３７は表示装置Ｄのアスペクト比Ｌ１：Ｌ２と縦撮り画像のアスペクト比とが略一致するように画像の上下部分をトリミングする。例えば、図７に示すように、表示装置Ｄのアスペクト比が略Ｌ１：Ｌ２＝１：１即ち略正方形である場合、これに合わせて画像のアスペクトＭ１：Ｍ２をＭ１’：Ｍ２＝Ｌ１：Ｌ２となるように画像の上下部分をトリミングする。トリミングで取り除く部分は被写体を含まないことが好ましい。このようにすれば、画像のアスペクト比を表示装置Ｄに合わせて変更することで画像が小さくなることがなく、画面一杯に画像を表示することができ、画面の上下部分に余白が生じるという無駄もなくなる。
【００５９】
Ｓ７では、画像の傾きを補正する角度θ’を設定する。補正角度θ’は撮影時のデジタルカメラ２００の傾斜を略補正するような値である。具体的には、角度情報θが、θ０＝０°、θ１＝３０°、θ２＝４５°、θ３＝６０°、θ４＝９０°であれば、θ０〜θ４の各々に対応する補正角度θ０’〜θ４’は、それぞれ画像のデジタルカメラ２００の傾斜を相殺する角度であるθ０’＝０°、θ１’＝−３０°、θ２＝−４５°、θ３＝−６０°、θ４＝−９０°である。図８に示すように、表示コントローラ３２は、Ｅｘｉｆファイルのデータ部分に記録されている画像を補正角度θ’だけ傾斜させて表示装置Ｄに表示する。補正角度θ’だけ傾斜させた画像をさらに拡大したり縮小したりしてもよいし、Ｅｘｉｆファイルのデータ部分に記録されているサムネイル画像を補正角度θ’だけ傾斜させてもよい。なお、画像を傾斜する補正角度θ’の基準線となるｘ軸は、表示装置Ｄの走査線と略平行となるよう設定されている。
【００６０】
このように、撮影時のデジタルカメラ２００の傾きに応じて画像の傾きを補正して表示するため、画像が見やすくなる。
【００６１】
＜第２実施形態＞
上記Exifファイルの所定のタグに記録された撮影位置情報又は撮影日時情報に基づき、画像を見やすいように表示することもできる。例えば、図９に示すように、撮影位置情報が略一致する画像同士を第１表示装置１１及び第２表示装置１２のそれぞれに表示すれば、同じ場所で撮影された異なる画像同士を対比することができ、定点観測などに有用である。第１表示装置１１及び第２表示装置１２には撮影位置情報を画像と共に表示してもよい。
【００６２】
あるいは、図１０に示すように、撮影日時情報の一部が共通（例えば月日が同じで年が異なる、あるいは毎月月始など日が同じで年月が異なる、曜日だけが同じ、月だけが同じ）する画像同士を第１表示装置１１及び第２表示装置１２にそれぞれ表示してもよい。こうすれば、１日後、１週間後、１月後、１年後等一定期間経過ごとに撮影された画像を並列して対比することができ、子供の成長過程を観察したりするのに有用である。第１表示装置１１及び第２表示装置１２には撮影日時情報を画像と共に表示してもよい。
【００６３】
さらに、撮影位置情報が略一致する画像が３つ以上存在する場合、撮影日時情報に応じた順序で第１表示装置１１及び第２表示装置１２のそれぞれに配置して表示するようにし、逆送りタッチセンサ１３、順送りタッチセンサ１４、選択ボタン１７の操作に応じて第１表示装置１１及び第２表示装置１２に表示させる画像を撮影日時情報に従って切り替えてもよい。例えば、逆送りタッチセンサ１３を操作すると、第２表示装置１２には現在第１表示装置１１に表示されている画像が表示されるとともに、第１表示装置１１には現在第１表示装置１１に表示されている撮影日時情報よりも古い撮影日時情報の画像が表示される。逆に、順送りタッチセンサ１４を操作すると、第１表示装置１１には現在第２表示装置１２に表示されている画像が表示されるとともに、第２表示装置１２には現在第２表示装置１２に表示されている撮影日時情報よりも新しい撮影日時情報の画像が表示される。このようにすれば、撮影位置情報が略一致す３つ以上の画像を撮影日時に従って切り替え表示できる。
【図面の簡単な説明】
【００６４】
【図１】本発明の好ましい実施形態に係る電子フォトアルバムの外観図
【図２】電子フォトアルバムの機能構成図
【図３】本発明の好ましい実施形態に係るデジタルカメラの機能構成図
【図４】Ｅｘｉｆファイルに記録される内容を例示した図
【図５】画像表示処理の流れを示すフローチャート
【図６】横撮り画像の左右部分をトリミングした状態を示す図
【図７】縦撮り画像の上下部分をトリミングした状態を示す図
【図８】傾き補正された画像を示す図
【図９】撮影位置情報が略一致する画像を並列表示した状態を示す図
【図１０】撮影日時情報の一部が共通する画像を並列表示した状態を示す図
【符号の説明】
【００６５】
７：制御部、８：ＲＡＭ、１１：第１表示装置、１２：第２表示装置、１３：逆送りタッチセンサ、１４：順送りタッチセンサ、１５：スピーカ、２１：タッチパネル、２４：挿抜検出部、２５：開閉検出スイッチ、３６：記憶装置、３７：画像処理部、４０：記憶媒体
【図１】
2006020065.tif 000003
【図２】
2006020065.tif 000004
【図３】
2006020065.tif 000005
【図４】
2006020065.tif 000006
【図５】
2006020065.tif 000007
【図６】
2006020065.tif 000008
【図７】
2006020065.tif 000009
【図８】
2006020065.tif 000010
【図９】
2006020065.tif 000011
【図１０】
2006020065.tif 000012